(57)【要約】【課題】スライドカバーの位置に関して改善された電子機器を提供する。【解決手段】筐体２と、筐体２の第１の面に設けられた凹部と、凹部の内側において、第１方向にスライド可能なスライドカバー６を有する、スライド部材と、を備え、スライドカバー６は、第１の面と面一を成す外面６１と、外面６１の裏面である内面６２と、を有し、スライド部材は、内面に接続される第１摺動部２１Ａを有し、第１摺動部２１Ａは、第１方向と平行な第１内部摺動面を有し、第１内部摺動面は、スライドカバーが第１方向にスライドするとき、筐体２と当接する。【選択図】図５
2018200435.tif 000002
【特許請求の範囲】
【請求項１】
筐体と、
前記筐体の第１の面に設けられた凹部と、
前記凹部に設けられたスクリーンと、
前記凹部の内側において、前記スクリーンを露出しない第１位置から前記スクリーンを露出する第２位置へ向かう第１方向および前記第１方向とは逆方向である第２方向へスライドするスライドカバーを有する、スライド部材と、を備え、
前記スライドカバーは、
前記第１の面と面一を成す外面と、
前記外面の裏面である内面と、を有し、
前記スライド部材は、前記内面に接続される第１摺動部および第２摺動部を有し、
前記第１摺動部は、前記第１方向および前記第２方向と平行な第１内部摺動面を有し、
前記第２摺動部は、前記第１方向および前記第２方向と平行な第２内部摺動面を有し、
前記第１内部摺動面および前記第２内部摺動面の少なくとも一方は、前記スライドカバーが前記第１方向または前記第２方向にスライドするとき、前記筐体と当接する、
電子機器。
【請求項２】
筐体と、
前記筐体の第１の面に設けられた凹部と、
前記凹部の内側において、第１方向にスライド可能なスライドカバーを有する、スライド部材と、を備え、
前記スライドカバーは、
前記第１の面と面一を成す外面と、
前記外面の裏面である内面と、を有し、
前記スライド部材は、前記内面に接続される第１摺動部を有し、
前記第１摺動部は、前記第１方向と平行な第１内部摺動面を有し、
前記第１内部摺動面は、前記スライドカバーが前記第１方向にスライドするとき、前記筐体と当接する、
電子機器。
【請求項３】
前記凹部の内側に設けられたスクリーンを更に有し、
前記スライドカバーは、前記第１方向にスライドしたとき、前記スクリーンを覆う、
請求項２に記載の電子機器。
【請求項４】
前記第１内部摺動面は、前記第１方向と平行な平面であり、前記筐体の平面と接する、
請求項２または３に記載の電子機器。
【請求項５】
前記第１摺動部は、ＰＯＭを用いて構成される、請求項２から４のいずれか一項に記載の電子機器。
【請求項６】
前記スライド部材は、前記内面に接続される第２摺動部を更に有し、
前記第２摺動部は、前記第１方向と平行な第２内部摺動面を更に有し、
前記第１内部摺動面および前記第２内部摺動面は、前記スライドカバーが前記第１方向にスライドするとき、前記筐体と当接する、
請求項２から５のいずれか一項に記載の電子機器。
【請求項７】
前記第１摺動部および前記第２摺動部は、前記第１内部摺動面および前記第２内部摺動面が前記筐体を押圧するように付勢されている、請求項６に記載の電子機器。
【請求項８】
前記第２摺動部は、ＰＯＭを用いて構成される、請求項６または７に記載の電子機器。
【発明の詳細な説明】
【技術分野】
【０００１】
本開示は、電子機器に関する。
【背景技術】
【０００２】
近年、スマートフォン、タブレット端末等の携帯型の電子機器は、例えばカメラ（撮像機能）を備えることが一般的である。このような電子機器は、カメラのレンズを開放又は遮蔽するために、スライド式のカバー（以下、スライドカバーという）を備えることがある。
【０００３】
例えば、特許文献１は、カバーの両側に案内部を設けた構成のスライドカバーを備える携帯電話を開示する。
【先行技術文献】
【特許文献】
【０００４】
【特許文献１】特開２００７−２９８７８５号公報
【発明の概要】
【発明が解決しようとする課題】
【０００５】
しかし、特許文献１は、例えばカバーと案内部との間のクリアランスに関する検討を開示するものではない。スライドカバーを移動させる機構（以下、スライド部材という）を備える電子機器には更なる改善の余地があった。
【０００６】
かかる事情に鑑みてなされた本開示の目的は、スライドカバーの位置に関して改善された電子機器を提供することにある。
【課題を解決するための手段】
【０００７】
一実施形態に係る電子機器は、筐体と、前記筐体の第１の面に設けられた凹部と、前記凹部に設けられたスクリーンと、前記凹部の内側において、前記スクリーンを露出しない第１位置から前記スクリーンを露出する第２位置へ向かう第１方向および前記第１方向とは逆方向である第２方向へスライドするスライドカバーを有する、スライド部材と、を備え、前記スライドカバーは、前記第１の面と面一を成す外面と、前記外面の裏面である内面と、を有し、前記スライド部材は、前記内面に接続される第１摺動部および第２摺動部を有し、前記第１摺動部は、前記第１方向および前記第２方向と平行な第１内部摺動面を有し、前記第２摺動部は、前記第１方向および前記第２方向と平行な第２内部摺動面を有し、前記第１内部摺動面および前記第２内部摺動面の少なくとも一方は、前記スライドカバーが前記第１方向または前記第２方向にスライドするとき、前記筐体と当接する。
【０００８】
また、一実施形態に係る電子機器は、筐体と、前記筐体の第１の面に設けられた凹部と、前記凹部の内側において、第１方向にスライド可能なスライドカバーを有する、スライド部材と、を備え、前記スライドカバーは、前記第１の面と面一を成す外面と、前記外面の裏面である内面と、を有し、前記スライド部材は、前記内面に接続される第１摺動部を有し、前記第１摺動部は、前記第１方向と平行な第１内部摺動面を有し、前記第１内部摺動面は、前記スライドカバーが前記第１方向にスライドするとき、前記筐体と当接する。
【発明の効果】
【０００９】
本開示によれば、スライドカバーの位置に関して改善された電子機器を提供することができる。
【図面の簡単な説明】
【００１０】
【図１】一実施形態に係る電子機器の筐体およびスライド部材の概略構造図である。
【図２】スライドモジュールの概略構成図である。
【図３】一実施形態に係る電子機器で、スクリーンを露出した状態を例示する図である。
【図４】一実施形態に係る電子機器で、スクリーンを露出しない状態を例示する図である。
【図５】一実施形態に係る電子機器のスライドカバーの断面構造を説明するための図である。
【図６】摺動部について説明するための図である。
【図７】摺動部について説明するための別の図である。
【図８】比較例の電子機器のスライドカバーの断面構造を説明するための図である。
【発明を実施するための形態】
【００１１】
［第１実施形態］
（スライド部材の概略構造）
図１に示される一実施形態の電子機器１はスマートフォンである。代替例として電子機器１はスマートフォン以外の無線通信機能を備える携帯機器（携帯無線装置）でもよい。例えば、電子機器１は携帯電話端末、ファブレット、タブレットＰＣ、フィーチャーフォン、ＰＤＡ、リモコン端末、携帯音楽プレイヤー、ゲーム機、または電子書籍リーダ等でもよい。
【００１２】
図１は、電子機器１の筐体２、および、電子機器１が備えるスライド部材８を概略的に示す概略構造図である。スライド部材８は、スライドカバー６と、スライドモジュール７と、を含む。スライド部材８は、筐体２の第１の面３にある凹部４の内側に取り付けられる。
【００１３】
図１に示すように、本実施形態において、電子機器１の構成と対応した座標軸が定められている。電子機器１の使用時において、ユーザにとっての奥行き方向がｚ軸方向である。別の表現では、電子機器１の厚み方向がｚ軸方向である。そして、電子機器１の使用時において、レシーバー（スピーカー）およびタッチパネルディスプレイが設けられている電子機器１の表面から、電子機器１の背面への向きがｚ軸正方向である。図１に示す電子機器１の第１の面３は背面である。また、電子機器１の第１の面３の長手方向および短手方向が、それぞれｙ軸方向およびｘ軸方向である。電子機器１の長手方向に沿って、スクリーン５から遠い方の端部から、スクリーン５に近い方の端部への向きがｙ軸正方向になる。そして、右手系の座標系を構成するように、図１に示す向きにｘ軸正方向が定められている。
【００１４】
筐体２は電子機器１の外郭を構成する。筐体２は例えば樹脂で構成される。ここで、筐体２は金属部分を有していてもよい。例えば、筐体２は樹脂に金属がインサート成形されたものであってもよい。
【００１５】
筐体２の第１の面３に凹部４が設けられている。凹部４にスライド部材８が取り付けられた場合に、すなわち電子機器１が使用可能な完成品である場合に、スライドカバー６の外面６１は第１の面３と面一を成す。つまり、外面６１と第１の面３とがｚ軸方向の段差を生じないように、スライド部材８は凹部４に取り付けられる。ここで、スライドカバー６の外面６１は、ユーザによって触れられる面である。スライドカバー６は、外面６１の裏面である内面の一部がスライドモジュール７の可動部７０（図２参照）に取り付けられる。
【００１６】
凹部４は、第１領域１１、第２領域１２および隙間１３（隙間領域）に区分される。第１領域１１は、３つの領域のうち、最もＹ軸正方向側に位置する。第２領域１２は最もＹ軸負方向側に位置する。隙間１３は、第１領域１１および第２領域１２に挟まれた部分に生じる。
【００１７】
凹部４の第１領域１１には、スクリーン５およびパネル９が設けられている。ここで、本実施形態に係る電子機器１は撮像のためのカメラモジュールを内蔵する。つまり、電子機器１はカメラ（撮像機能）を有する。本実施形態において、スクリーン５は、カメラ、特にレンズを保護する部材である。スクリーン５は、透光性を有する板状の部材である。スクリーン５は、レンズの光が入射する側に（レンズのｚ軸正方向側に）設けられる。スクリーン５は、例えば透明なガラス製であってもよい。スクリーン５は、例えば透明な樹脂（例えばアクリル）製であってもよい。また、スクリーン５は、例えばサファイヤでできていてもよい。
【００１８】
パネル９は、第１領域１１のスクリーン５を除く部分に設けられる。パネル９は装飾材として使用される板状の部材である。パネル９は例えば樹脂製である。図１の例では、２つのパネル９は、スクリーン５に対してｘ軸正方向およびｘ軸負方向に隣接して設けられる。ここで、ユーザの指等がスクリーン５に誤って接触すること、およびスクリーン５の表面に傷がつくこと、を回避するために、スクリーン５とパネル９との間に段差が設けられていてもよい。つまり、スクリーン５はパネル９よりも奥側の位置（ｚ軸負方向側）に設けられてもよい。段差は一例として０．４［ｍｍ］である。
【００１９】
凹部４の第２領域１２は筐体２の一部を加工して作られている。本実施形態において、第２領域１２は、ｚ軸方向で第１領域１１のパネル９と同じ高さであるように作られる。また、本実施形態において、第２領域１２の表面（スライドカバー６と接する面）には、ｙ軸方向に対して平行に延在する複数の微細な凹溝（ヘアライン）が設けられている。ヘアラインは例えば０．０２［ｍｍ］の深さを有する。
【００２０】
凹部４の隙間１３は、筐体２とスライド部材８との間の空間である。スライド部材８が筐体２の凹部４に取り付けられた場合に、隙間１３が生じる。ここで、隙間１３は、スライド部材８が占める空間も含む。例えば隙間１３は、スライド部材８の可動部７０と固定部７１との間の空間を含む（図２参照）。
【００２１】
図２は、スライドモジュール７の概略構成を示す。スライドモジュール７は可動部７０と固定部７１とを備える。可動部７０は、固定部７１に設けられたレールに沿って移動する。固定部７１は筐体２に取り付けられて、可動部７０の移動方向を定める。本実施形態において、固定部７１は、レールがｙ軸に平行であるように筐体２に取り付けられる。つまり、可動部７０はｙ軸方向に沿って移動する。可動部７０にはスライドカバー６が取り付けられる。したがって、本実施形態において、スライドカバー６はｙ軸負方向（第１方向）およびｙ軸正方向（第２方向）へスライド可能である。
【００２２】
本実施形態において、スライドモジュール７の固定部７１は、ねじ穴７２に挿入されるねじによって筐体２に固定される。本実施形態において、ねじは凹部４の第１領域１１で止め付けられる。ユーザからねじ穴７２の部分が見えないようにするために、パネル９はねじ穴７２を覆うように設けられる。つまり、本実施形態において、２つのパネル９は、２つのねじ穴７２のｚ軸正方向側にそれぞれ設けられる。また、２つのねじ穴７２の間には、カメラモジュールのレンズおよびスクリーン５が設けられる。
【００２３】
（スライドカバー）
図３は、電子機器１でスクリーン５を露出した状態を例示する。ユーザは、スライドカバー６を押圧しながら、第１方向（ｙ軸負方向）へスライドさせる。スライドカバー６が第２位置にあるとき、スクリーン５およびパネル９を含む第１領域１１が露出する。電子機器１は、スライドカバー６が第２位置までスライドしたことを検知して、カメラ機能をオン（使用可能状態）にする。ここで、第２位置は、図３に示すように、スライドカバー６の下端（ｙ軸負方向側の端）が凹部４の下端（ｙ軸負方向側の端）に接する、または最も近付く位置である。
【００２４】
図４は、電子機器１でスクリーン５を露出しない状態を例示する。ユーザは、スライドカバー６を押圧しながら第２方向（ｙ軸正方向）へスライドさせる。スライドカバー６が第１位置にあるとき、第２領域１２が露出して、第１領域１１は露出しない。電子機器１は、スライドカバー６が第１位置までスライドしたことを検知して、カメラ機能をオフ（不使用状態）にする。ここで、第１位置は、図４に示すように、スライドカバー６の上端（ｙ軸正方向側の端）が凹部４の上端（ｙ軸正方向側の端）に接する、または最も近付く位置である。
【００２５】
本実施形態において、スクリーン５は電子機器１の背面側に搭載されたアウトカメラを保護する。ユーザは、アウトカメラを用いて撮影を行う場合に、スライドカバー６を第１方向へスライドさせて、カメラ機能をオンにする（図３参照）。また、ユーザは、アウトカメラによる撮影が終了すると、スライドカバー６を第２方向へスライドさせて、カメラ機能をオフにする（図４参照）。
【００２６】
（クリアランスについて）
上記のように、本実施形態に係る電子機器１は、スライドカバー６の外面６１と第１の面３とが面一をなす。つまり、電子機器１はいわゆるフルフラットのカバーを有する。スライドカバー６が凹部４に対して偏りがあるように配置されると外観上の問題が生じ得る。ここで、スライドカバー６の凹部４に対する偏りとは、スライドカバー６と凹部４との間の対となる間隔（例えば左右の間隔）の大きさの違いをいう。
【００２７】
ここで、一般に電子機器１の各部品は製造上の誤差を有する。電子機器１が組み立てられた後に（筐体２の凹部４にスライドカバー６を取り付けた後に）スライドカバー６が適切にスライドするように、凹部４の端部とスライドカバー６の端部との間にクリアランスが設けられる。クリアランスは、部品のサイズの製造誤差等を考慮して、設計上設けられる、部品間に確保される距離（間隔）のことである。実際上クリアランスがゼロになることはない。そのため、スライドカバー６は凹部４に対して偏りが生じるおそれがある。本実施形態に係る電子機器１は、特にスライドカバー６が以下に述べる構成を有することによって、スライドカバー６の凹部４に対する偏りを小さくすることができる。
【００２８】
図５は、電子機器１のスライドカバー６の断面構造を説明するための図である。図５は、図４のＡ−Ａ線に沿う断面図に対応する。スライドカバー６は、ユーザによって触れられる外面６１を有する。また、スライドカバー６は、外面６１の裏面である内面６２を有する。内面６２の一部はスライドモジュール７の可動部７０に取り付けられる。上記のように、可動部７０は、固定部７１に設けられたレールに沿って移動する。本実施形態において、スライドカバー６はｙ軸方向へスライド可能である。また、固定部７１は筐体２に固定される。
【００２９】
図５に示すように、スライド部材８のスライドカバー６は、内面６２に接続される第１摺動部２１Ａおよび第２摺動部２１Ｂを有する。第１摺動部２１Ａは第１内部摺動面２２Ａを有する。また、第２摺動部２１Ｂは第２内部摺動面２２Ｂを有する。第１内部摺動面２２Ａおよび第２内部摺動面２２Ｂは、スライドカバー６がｙ軸方向にスライドするとき、筐体２と当接する。より詳細には、第１内部摺動面２２Ａおよび第２内部摺動面２２Ｂは、第１方向および第２方向と平行な平面であり、筐体２の平面（壁面）と接する。筐体２の平面は、図１の凹部４のｙ軸方向と平行な壁面である。ここで、第１内部摺動面２２Ａおよび第２内部摺動面２２Ｂの少なくとも一方が筐体２の壁面と当接すればよい。
【００３０】
ここで、凹部４とスライドカバー６との間にはクリアランスが設けられる。本実施形態において、図５に示すように、凹部４の左側（ｘ軸負方向側）の端部とスライドカバー６の左側（ｘ軸負方向側）の端部との間には、クリアランスＷＬ０が設けられる。また、凹部４の右側（ｘ軸正方向側）の端部とスライドカバー６の右側（ｘ軸正方向側）の端部との間には、クリアランスＷＲ０が設けられる。クリアランスＷＬ０およびＷＲ０は、電子機器１の第１の面３におけるクリアランスである。本実施形態において、クリアランスＷＬ０とクリアランスＷＲ０との大きさは等しい。組み立て後の電子機器１において、例えば凹部４の左側の端部とスライドカバー６の左側の端部との間隔がクリアランスＷＬ０から大きくずれると、スライドカバー６が偏っていることがユーザに視認される。また、スライドカバー６の円滑なスライド動作が妨げられるおそれがある。
【００３１】
上記のように、本実施形態に係る電子機器１のスライド部材８は、第１摺動部２１Ａおよび第２摺動部２１Ｂを有する。図５に示すように、第１摺動部２１Ａの第１内部摺動面２２Ａと、凹部４の左側（ｘ軸負方向側）の端部の壁面との間には、クリアランスＷＬ１が設けられる。また、第２摺動部２１Ｂの第２内部摺動面２２Ｂと、凹部４の右側（ｘ軸正方向側）の端部の壁面との間には、クリアランスＷＲ１が設けられる。本実施形態において、クリアランスＷＬ１とクリアランスＷＲ１との大きさは等しい。
【００３２】
ここで、スライドカバー６の外面６１と筐体２の第１の面３とは面一をなす必要がある。クリアランスＷＬ０およびＷＲ０は、面を揃えるための調整を可能にするために、一定の大きさを有する。一例として、クリアランスＷＬ０およびＷＲ０はそれぞれ０．２［ｍｍ］である。一方、第１内部摺動面２２Ａおよび第２内部摺動面２２Ｂは、筐体２の凹部４の壁面と当接するための部材である。そのため、クリアランスＷＬ１およびＷＲ１は、比較的小さな値に設定される。つまり、クリアランスＷＬ１およびＷＲ１は、クリアランスＷＬ０およびＷＲ０よりも小さく設定される。一例として、クリアランスＷＬ１およびＷＲ１はそれぞれ０．１［ｍｍ］である。
【００３３】
第１摺動部２１Ａおよび第２摺動部２１Ｂは、スライドカバー６の内面６２と接続する。例えば、第１摺動部２１Ａおよび第２摺動部２１Ｂは、スライドカバー６と一体に形成されてもよい。本実施形態において、スライドカバー６、第１摺動部２１Ａおよび第２摺動部２１Ｂは例えば樹脂で構成される。樹脂としては、例えば耐熱性に優れるポリカーボネート等が使用されてもよい。本実施形態において、スライドカバー６の左右（ｘ軸方向）のずれの大きさの最大値は、クリアランスＷＬ０およびＷＲ０（例えば０．２［ｍｍ］）ではなく、より小さなクリアランスＷＬ１およびＷＲ１（例えば０．１［ｍｍ］）によって規定される。
【００３４】
（比較例）
ここで、図８は比較例の電子機器のスライドカバー６の断面構造を説明するための図である。比較例の電子機器のスライドカバー６は、第１摺動部２１Ａおよび第２摺動部２１Ｂを有していない。ここで、本実施形態と同様に、比較例の電子機器のスライドカバー６にクリアランスＷＬ０およびＷＲ０（例えば０．２［ｍｍ］）が設定されたとする。比較例の電子機器では、スライドカバー６の左右（ｘ軸方向）のずれの大きさの最大値は、クリアランスＷＬ０およびＷＲ０によって規定される。図８の例では、組み立てられた比較例の電子機器のスライドカバー６は、筐体２に一部が接触するまで左側（ｘ軸負方向）にずれている。図８の例では、左側の間隔ＳＬは右側の間隔ＳＲよりも小さく、スライドカバー６が偏っていることがユーザに視認される。また、比較例の電子機器のスライドカバー６は、一部が筐体２に接触しているため、円滑なスライド動作が妨げられる。
【００３５】
また、特許文献１に開示されるカバーでは、ケースと一体に形成された摺動面だけを有していた。つまり、特許文献１に開示されるカバーは、第１摺動部２１Ａおよび第２摺動部２１Ｂを有していない。また、特許文献１は、クリアランスの影響によるカバーのずれについて一切検討していない。
【００３６】
これらに対し、本実施形態に係る電子機器１のスライドカバー６は、第１の面３と面一を成す外面６１と、外面６１の裏面である内面６２と、を有する。スライド部材８は、内面６２に接続される第１摺動部２１Ａおよび第２摺動部２１Ｂを有し、第１摺動部２１Ａは、第１方向および第２方向と平行な第１内部摺動面２２Ａを有する。また、第２摺動部２１Ｂは、第１方向および第２方向と平行な第２内部摺動面２２Ｂを有する。第１内部摺動面２２Ａおよび第２内部摺動面２２Ｂの少なくとも一方は、スライドカバー６が第１方向または第２方向にスライドするとき、筐体２と当接する。
【００３７】
本実施形態に係る電子機器１は、スライドカバー６の一方向（例えば左右、ｘ軸方向）のずれの大きさの最大値が、第１摺動部２１Ａおよび第２摺動部２１Ｂに関する、より小さなクリアランスＷＬ１およびＷＲ１（例えば０．１［ｍｍ］）によって規定される。そのため、本実施形態に係る電子機器１は、スライドカバー６の偏りを減少させる。つまり、本開示によれば、スライドカバー６の位置に関して改善された電子機器１を提供することができる。
【００３８】
［第２実施形態］
第２実施形態に係る電子機器１の全体構成は第１実施形態（図１〜図５）と同じである。本実施形態において、スライドカバー６の内面６２に接続される第１摺動部２１Ａおよび第２摺動部２１Ｂは、スライドカバー６の材料よりも摩擦係数が低い材料で構成される。ここで、摩擦係数が低いことは摩擦抵抗が小さいことを意味する。そのため、摩擦係数が低い材料で構成された第１摺動部２１Ａおよび第２摺動部２１Ｂは、筐体２の壁面と接触しても円滑にスライド可能である。そのため、本実施形態において、クリアランスＷＬ１およびＷＲ１は第１実施形態よりも小さくすることが可能である（図５参照）。一例として、第１実施形態におけるクリアランスＷＬ１およびＷＲ１が０．１［ｍｍ］の場合に、本実施形態ではクリアランスＷＬ１およびＷＲ１を０．０５［ｍｍ］にすることが可能である。
【００３９】
ここで、第１摺動部２１Ａおよび第２摺動部２１Ｂは、例えばフッ素樹脂等で作られてもよい。また、第１摺動部２１Ａおよび第２摺動部２１Ｂは、例えばポリオキシメチレン（ＰＯＭ：Ｐｏｌｙｏｘｙｍｅｔｈｙｌｅｎｅ、ポリアセタール）等で作られてもよい。ＰＯＭは摩擦係数に加えて摩耗量も低い。したがって、ＰＯＭを用いて構成される第１摺動部２１Ａおよび第２摺動部２１Ｂは耐久性も高くなる。本実施形態において、第１摺動部２１Ａおよび第２摺動部２１Ｂは、別の部材として製造されて、スライドカバー６の内面６２に取り付けられる。
【００４０】
本実施形態に係る電子機器１は、スライドカバー６の材料よりも摩擦係数が低い材料で構成される第１摺動部２１Ａおよび第２摺動部２１Ｂを有する。そのため、スライドカバー６の一方向（例えば左右、ｘ軸方向）のずれの大きさの最大値が、第１摺動部２１Ａおよび第２摺動部２１Ｂに関する、更に小さなクリアランスＷＬ１およびＷＲ１（例えば０．０５［ｍｍ］）によって規定されることになる。本実施形態に係る電子機器１は、スライドカバー６の偏りを更に減少させることができる。
【００４１】
［第３実施形態］
第３実施形態に係る電子機器１の全体構成は第１実施形態（図１〜図５）と同じである。本実施形態において、スライドカバー６の内面６２に接続される第１摺動部２１Ａおよび第２摺動部２１Ｂは、ばね性を有する部材である。本実施形態において、第１摺動部２１Ａおよび第２摺動部２１ＢはＰＯＭを用いて構成される。
【００４２】
図６は、第１摺動部２１Ａの構成について説明するための図である。本実施形態において、第１摺動部２１Ａは全体がＰＯＭで構成されている。図６に示すように、第１摺動部２１Ａは内部摺動面２２と脚部２３とを有する。第１摺動部２１Ａの内部摺動面２２は、上記の第１内部摺動面２２Ａである。第１摺動部２１Ａのうち、特に２つの脚部２３の部分がばね性を有する。ここで、第２摺動部２１Ｂの構成は、図６に示す第１摺動部２１Ａと同じである。そのため、以下、第１摺動部２１Ａについて詳細に説明し、第２摺動部２１Ｂの説明は省略する。ただし、第２摺動部２１Ｂでは、ｘ軸およびｙ軸が図６と逆向きになる。また、第２摺動部２１Ｂの内部摺動面２２は、上記の第２内部摺動面２２Ｂである。
【００４３】
第１摺動部２１Ａは、図６に示すように、２つの脚部２３にこれらの中間点に向かう力（図６の力Ｆａと逆向きの力）を与えられてスライドカバー６の内面６２に取り付けられる（接続される）。図６に示すように、２つの脚部２３の端部は、スライドカバー６の内面６２の曲面部分に接している。スライドカバー６の曲面部分は外側に向かう（２つの脚部２３の中間点からｙ軸方向に離れる）につれて傾斜（ｘ軸方向の成分）が大きくなる。
【００４４】
スライドカバー６に接続された２つの脚部２３には、もとの形状に戻ろうとするばね性によって、それぞれ図６の力Ｆａが生じる。第１摺動部２１Ａの内部摺動面２２が筐体２の壁面と接していない場合（凹部４の端部とスライドカバー６の端部との間隔が広い場合）、力Ｆａに基づいて、第１摺動部２１Ａに筐体２へ向かう力Ｆｂが生じる。そして、第１摺動部２１Ａの内部摺動面２２は付勢されて筐体２の壁面に接触する。
【００４５】
図７に示すように、第１摺動部２１Ａがさらに筐体２の壁面に近付いた場合（凹部４の端部とスライドカバー６の端部との間隔が狭い場合）、第１摺動部２１Ａに筐体２から押し戻される力Ｆｃが生じる。力Ｆｃは、第１摺動部２１Ａの２つの脚部２３に中間点に向かう力（図７の力Ｆｄ）を生じさせる。ここで、２つの脚部２３は、もとの形状に戻ろうとするばね性によって、それぞれ図７の力Ｆｄの反対の向きに広がろうとする。そして、スライドカバー６にｘ軸正方向に向かう力Ｆｅが生じる。そのため、スライドカバー６は、筐体２の壁面から離れるように移動する。
【００４６】
ここで、第２摺動部２１Ｂの動作は、図６および図７を参照して説明した第１摺動部２１Ａと同じである。
【００４７】
本実施形態に係る電子機器１は、ばね性を有する第１摺動部２１Ａおよび第２摺動部２１Ｂを有する。第１摺動部２１Ａおよび第２摺動部２１Ｂが共に付勢されて筐体２の壁面に接触するため、スライドカバー６と筐体２との間隔を適切に保つことが可能である。また、仮にスライドカバー６が筐体２の壁面に接触した場合には、第１摺動部２１Ａ（または第２摺動部２１Ｂ）が筐体２の壁面から受ける力Ｆｃ（図７参照）に基づいて、スライドカバー６を中心側に戻す（センタリングする）。本実施形態に係る電子機器１は、スライドカバー６の偏りを修正して、スライドカバー６と筐体２との間隔を適切に保つことが可能である。
【００４８】
（その他の実施形態）
本開示を図面および実施形態に基づき説明してきたが、当業者であれば本開示に基づき種々の変形および修正を行うことが容易であることに注意されたい。したがって、これらの変形および修正は本開示の範囲に含まれることに留意されたい。例えば、各構成要素は論理的に矛盾しないように再配置可能であり、複数を１つに組み合わせたり、或いは分割したりすることが可能である。
【００４９】
上記の実施形態において、スライド部材８は、内面６２に接続される第１摺動部２１Ａおよび第２摺動部２１Ｂを有していた。ここで、スライド部材８は、第１摺動部２１Ａおよび第２摺動部２１Ｂのうち一方だけを有してもよい。
【００５０】
上記の第３実施形態において、第１摺動部２１Ａおよび第２摺動部２１Ｂは、２つの脚部２３が元の位置に戻ろうとする性質によって、ばね性を有していた。ここで、第１摺動部２１Ａおよび第２摺動部２１Ｂは一方の端部がスライドカバー６に接続されるコイルばねを備えていてもよい。このとき、コイルばねは樹脂製であってもよい。
【００５１】
上記の実施形態において、スクリーン５はカメラモジュールのレンズを保護する部材であった。ここで、スクリーン５は、電子機器１が備えるセンサ等の要素を保護する部材であってもよい。例えば、電子機器１はＵＶセンサ、照度センサまたは近接センサ等を備えてもよい。また、スクリーン５は照明部材（例えばフラッシュ等）を保護する部材であってもよい。
【符号の説明】
【００５２】
１    電子機器
２    筐体
３    第１の面
４    凹部
５    スクリーン
６    スライドカバー
７    スライドモジュール
８    スライド部材
９    パネル
１１    第１領域
１２    第２領域
１３    隙間
２１Ａ  第１摺動部
２１Ｂ  第２摺動部
２２    内部摺動面
２２Ａ  第１内部摺動面
２２Ｂ  第２内部摺動面
２３    脚部
６１    外面
６２    内面
７０    可動部
７１    固定部
７２    ねじ穴
【図１】
2018200435.tif 000003
【図２】
2018200435.tif 000004
【図３】
2018200435.tif 000005
【図４】
2018200435.tif 000006
【図５】
2018200435.tif 000007
【図６】
2018200435.tif 000008
【図７】
2018200435.tif 000009
【図８】
2018200435.tif 000010
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
筐体と、
前記筐体の第１の面に設けられた凹部と、
前記凹部の内側において、第１方向にスライド可能なスライドカバーを有する、スライド部材と、を備え、
前記スライドカバーは、
前記第１の面と面一を成す外面と、
前記外面の裏面である内面と、を有し、
前記スライド部材は、前記内面に接続される第１摺動部と、第２摺動部と、を有し、
前記第１摺動部は、前記第１方向と平行な第１内部摺動面を有し、
前記第２摺動部は、前記第１方向と平行な第２内部摺動面を有し、
前記第１内部摺動面および前記第２内部摺動面は、前記筐体を押圧する、
電子機器。
【請求項２】
前記凹部の内側に設けられたスクリーンを更に有し、
前記スライドカバーは、前記第１方向にスライドしたとき、前記スクリーンを覆う、
請求項１に記載の電子機器。
【請求項３】
前記第１内部摺動面は、前記第１方向と平行な平面であり、前記筐体の平面と接する、
請求項１または２に記載の電子機器。
【請求項４】
前記第１摺動部は、ＰＯＭを用いて構成される、請求項１から３のいずれか一項に記載の電子機器。
【請求項５】
前記第１摺動部および前記第２摺動部は、ばね性を有し、当該ばね性による力により、前記第１内部摺動面および前記第２内部摺動面が、前記筐体を押圧する、
請求項１から４のいずれか一項に記載の電子機器。
【請求項６】
前記第１摺動部は、前記第１方向に平行に配置された第１の脚部および第２の脚部を更に有し、
前記第２摺動部は、前記第１方向に平行に配置された第３の脚部および第４の脚部を更に有し、
前記第１から第４の脚部が有するばね性により、前記第１内部摺動面および前記第２内部摺動面は、前記筐体を押圧する、請求項１から５のいずれか一項に記載の電子機器。
【請求項７】
前記第２摺動部は、ＰＯＭを用いて構成される、請求項１から６のいずれか一項に記載の電子機器。
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
筐体と、
前記筐体の第１の面に設けられた凹部と、
前記凹部の内側において、第１方向にスライド可能なスライドカバーを有する、スライド部材と、を備え、
前記スライドカバーは、
前記第１の面と面一を成す外面と、
前記外面の裏面である内面と、を有し、
前記スライド部材は、前記内面に接続される第１摺動部と、第２摺動部と、を有し、
前記第１摺動部は、前記凹部の内側と摺動し、前記第１方向と平行な第１内部摺動面を有し、
前記第２摺動部は、前記凹部の内側と摺動し、前記第１方向と平行な第２内部摺動面を有し、
前記第１内部摺動面および前記第２内部摺動面は、前記筐体を押圧し、
前記スライド部材をセンタリングする、
電子機器。
【請求項２】
前記凹部の内側に設けられたスクリーンを更に有し、
前記スライドカバーは、前記第１方向にスライドしたとき、前記スクリーンを覆う、
請求項１に記載の電子機器。
【請求項３】
前記第１内部摺動面は、前記第１方向と平行な平面であり、前記筐体の平面と接する、請求項１または２に記載の電子機器。
【請求項４】
前記第１摺動部は、ＰＯＭを用いて構成される、請求項１から３のいずれか一項に記載の電子機器。
【請求項５】
前記第１摺動部および前記第２摺動部は、ばね性を有し、当該ばね性による力により、前記第１内部摺動面および前記第２内部摺動面が、前記筐体を押圧する、
請求項１から４のいずれか一項に記載の電子機器。
【請求項６】
前記第１摺動部は、前記第１方向に平行に配置された第１の脚部および第２の脚部を更に有し、
前記第２摺動部は、前記第１方向に平行に配置された第３の脚部および第４の脚部を更
に有し、
前記第１から第４の脚部が有するばね性により、前記第１内部摺動面および前記第２内部摺動面は、前記筐体を押圧する、請求項１から５のいずれか一項に記載の電子機器。
【請求項７】
前記第２摺動部は、ＰＯＭを用いて構成される、請求項１から６のいずれか一項に記載の電子機器。